(57)【要約】本発明の実施例は、基地局が実行するビット・ツー・シンボルのマッピング方法及び基地局を提供する。本発明の一実施例による基地局が実行するビット・ツー・シンボルのマッピング方法は、同時に基地局によってスケジューリングされている複数の移動局を変調するとき、複数の移動局のうちの第１移動局に対する第１の部分ビット情報をシンボルにおける高優先度ビットにマッピングすることと、第１移動局に対する第２の部分ビット情報をシンボルにおける低優先度ビットにマッピングすること、を含む。
2019508935.tif 000002
【特許請求の範囲】
【請求項１】
基地局が実行するビット・ツー・シンボルのマッピング方法であって、
前記基地局によって同時にスケジューリングされている複数の移動局を変調するとき、前記複数の移動局のうちの第１移動局に対する第１の部分ビット情報をシンボルにおける高優先度ビットにマッピングする工程と、
前記第１移動局に対する第２の部分ビット情報をシンボルにおける低優先度ビットにマッピングする工程と、
を含む、方法。
【請求項２】
前記基地局によって同時にスケジューリングされている複数の移動局を変調するとき、前記複数の移動局のうちの第２移動局に対する全てのビット情報をシンボルにおける高優先度ビットにマッピングする工程をさらに含む、請求項１に記載の方法。
【請求項３】
前記第１移動局の信号対雑音比は前記第２移動局の信号対雑音比より大きい請求項２に記載の方法。
【請求項４】
前記第１移動局と前記第２移動局に対する変調方式に応じて、前記第１移動局に対する第１の部分ビット情報の数量を決定する工程をさらに含む、請求項２又は３に記載の方法。
【請求項５】
前記複数の移動局のうちの第１移動局に対する第１の部分ビット情報をシンボルにおける高優先度ビットにマッピングする工程は、前記第１の部分ビット情報を所定の間隔でシンボルにおける高優先度ビットにマッピングする工程を含む、請求項１乃至３のいずれか一項に記載の方法。
【請求項６】
前記複数の移動局のうちの第１移動局に対する第１の部分ビット情報をシンボルにおける高優先度ビットにマッピングする工程は、所定の長さに応じて、前記第１の部分ビット情報をシンボルにおける連続する高優先度ビットにマッピングすることを含む、請求項１乃至３のいずれか一項に記載の方法。
【請求項７】
前記複数の移動局のチャネル品質に応じて、前記第１移動局の第１の部分ビット情報の決定・マッピング方式を取得する工程と、
静的又は準静的に前記複数の移動局へ取得された決定・マッピング方式を通知する工程と、
をさらに含み、
無線リソース制御シグナリング又は物理ダウンリンク制御チャネルにより、前記複数の移動局へ取得された決定・マッピング方式を通知し、
前記基地局によって同時にスケジューリングされている複数の移動局を変調するとき、前記複数の移動局のうちの第１移動局に対する第１の部分ビット情報をシンボルにおける高優先度ビットにマッピングする工程は、
取得された決定・マッピング方式に応じて、前記基地局によって同時にスケジューリングされている複数の移動局を変調するとき、前記複数の移動局のうちの第１移動局に対する第１の部分ビット情報をシンボルにおける高優先度ビットにマッピングする工程を含む、請求項１乃至３のいずれか一項に記載の方法。
【請求項８】
予め前記基地局と前記複数の移動局に第１移動局の第１の部分ビット情報の決定・マッピング方式を格納する工程をさらに含み、
前記基地局によって同時にスケジューリングされている複数の移動局を変調するとき、前記複数の移動局のうちの第１移動局に対する第１の部分ビット情報をシンボルにおける高優先度ビットにマッピングする工程は、
予め格納した第１の部分ビット情報の決定・マッピング方式に応じて、前記基地局によって同時にスケジューリングされている複数の移動局を変調するとき、前記複数の移動局のうちの第１移動局に対する第１の部分ビット情報をシンボルにおける高優先度ビットにマッピングする工程を含む、請求項１乃至３のいずれか一項に記載の方法。
【請求項９】
シンボルにおける高優先度ビットの情報伝送の信頼性は、シンボルにおける低優先度ビットの情報伝送の信頼性より高い請求項１乃至３のいずれか一項に記載の方法。
【請求項１０】
前記複数の移動局に割り当てた送信電力を調整して前記複数の移動局のスループットを増加する工程をさらに含む、請求項１乃至３のいずれか一項に記載の方法。
【請求項１１】
基地局によって同時にスケジューリングされている複数の移動局を変調するときに、前記複数の移動局のうちの第１移動局に対する第１の部分ビット情報をシンボルにおける高優先度ビットにマッピングするように配置される第１マッピング手段と、
前記第１移動局に対する第２の部分ビット情報をシンボルにおける低優先度ビットにマッピングするように配置される第２マッピング手段と、
を備える基地局。
【請求項１２】
前記基地局によって同時にスケジューリングされている複数の移動局を変調するとき、前記複数の移動局のうちの第２移動局に対する全てのビット情報をシンボルにおける高優先度ビットにマッピングするように配置される第３マッピング手段をさらに備える、請求項１１に記載の基地局。
【請求項１３】
第１移動局の信号対雑音比は、前記第２移動局の信号対雑音比より大きい請求項１２に記載の基地局。
【請求項１４】
前記第１移動局と前記第２移動局に対する変調方式に応じて、前記第１移動局に対する第１の部分ビット情報の数量を決定するように配置されるビット情報決定手段をさらに備える、請求項１２又は１３に記載の基地局。
【請求項１５】
前記第１マッピング手段は、前記第１の部分ビット情報を所定の間隔でシンボルにおける高優先度ビットにマッピングする請求項１１乃至１３のいずれか一項に記載の基地局。
【請求項１６】
前記第１マッピング手段は、所定の長さに応じて前記第１の部分ビット情報をシンボルにおける連続する高優先度ビットにマッピングする請求項１１乃至１３のいずれか一項に記載の基地局。
【請求項１７】
前記複数の移動局のチャネル品質に応じて前記第１移動局の第１の部分ビット情報の決定・マッピング方式を取得するように配置される方式決定手段と、
静的又は準静的に前記複数の移動局へ第１移動局の第１の部分ビット情報の決定・マッピング方式を通知するように配置される送信手段と、
をさらに備え、
前記送信手段は、無線リソース制御シグナリング又は物理ダウンリンク制御チャネルにより、前記複数の移動局へ取得された決定・マッピング方式を通知し、
前記第１マッピング手段は、取得された決定・マッピング方式に応じて、前記基地局によって同時にスケジューリングされている複数の移動局を変調するとき、前記複数の移動局のうちの第１移動局に対する第１の部分ビット情報をシンボルにおける高優先度ビットにマッピングする請求項１１乃至１３のいずれか一項に記載の基地局。
【請求項１８】
予め第１移動局の第１の部分ビット情報の決定・マッピング方式を格納するように配置される格納手段をさらに備え、
前記第１マッピング手段は、予め格納した第１移動局の第１の部分ビット情報の決定・マッピング方式に応じて、前記複数の移動局のうちの第１移動局に対する第１の部分ビット情報をシンボルにおける高優先度ビットにマッピングする請求項１１乃至１３のいずれか一項に記載の基地局。
【請求項１９】
前記複数の移動局に割り当てた送信電力を調整して前記複数の移動局のスループットを増加するように配置される電力調整手段をさらに備える、請求項１１乃至１３のいずれか一項に記載の基地局。
【発明の詳細な説明】
【技術分野】
【０００１】
本発明は、基地局が実行するビット・ツー・シンボルのマッピング方法及び基地局に関する。より具体的には、本発明は、複数の移動局を同時に変調するときに採用されるビット・ツー・シンボルのマッピング方法及び対応する基地局に関する。
【背景技術】
【０００２】
非直交多元接続（ＮＯＭＡ）は、３ＧＰＰ（３rｄ  Ｇｅｎｅｒａｔｉｏｎ  Ｐａｒｔｎｅｒｓｈｉｐ  Ｐｒｏｊｅｃｔ）で検討されているＬＴＥ（Ｌｏｎｇ  Ｔｅｒｍ  Ｅｖｏｌｕｔｉｏｎ）リリース１３において提案された無線アクセス技術である。ＮＯＭＡシステムにおいて、送信側では、基地局は、複数の移動局が同一の時間と周波数リソースを共有するように、各リソースブロックにおいて異なる電力レベルで当該複数の移動局のためのデータを多重することにより、システムスループットを向上させる。
【０００３】
ＮＯＭＡシステムにおいて、基地局は特定の変調方式に応じて、同時にスケジューリングされている複数の移動局各々のビット情報をシンボルにマッピングする。現在、上記ビット・ツー・シンボルマッピングの手順において、チャネル状態が比較的に悪い移動局の通信品質を確保するために、基地局は、チャネル状態が比較的に悪い移動局のビット情報に対して、特定変調方式においてシンボルの高優先度ビットを割当てると共に、チャネル状態が比較的に良い移動局のビット情報に対して、特定変調方式においてシンボルの低優先度ビットを割当てる。しかしながら、このようなマッピング方式によれば、チャネル状態が比較的に良い移動局が基地局から受信した信号の品質が悪くなる可能性があり、通信システム全体のスループットが低下してしまう。
【発明の概要】
【０００４】
本発明によれば、チャネル状態が比較的に良い移動局が基地局から受信した信号の品質を効率的に改善することにより、通信システム全体のスループットを確保するためのビット・ツー・シンボルのマッピング方法及び対応する基地局を提供することが望ましい。
【０００５】
本開示の一態様によれば、基地局によって同時にスケジューリングされている複数の移動局を変調するとき、複数の移動局のうちの第１移動局に対する第１の部分ビット情報をシンボルにおける高優先度ビットにマッピングすることと、第１移動局に対する第２の部分ビット情報をシンボルにおける低優先度ビットにマッピングすることを含む、基地局が実行するビット・ツー・シンボルのマッピング方法を提供する。
【０００６】
本開示の他の一態様によれば、基地局によって同時にスケジューリングされている複数の移動局を変調するときに、複数の移動局のうちの第１移動局に対する第１の部分ビット情報をシンボルにおける高優先度ビットにマッピングするように配置される第１マッピング手段と、第１移動局に対する第２の部分ビット情報をシンボルにおける低優先度ビットにマッピングするように配置される第２マッピング手段とを備える、基地局を提供する。
【図面の簡単な説明】
【０００７】
本開示の実施例を、図面を参照しながら詳細に説明することにより、本開示の上記及びその他の目的、特徴、長所はより明らかになる。
【０００８】
【図１】本発明の実施例によるＮＯＭＡ通信システムの模式図を示す。
【図２】従来のマッピング方法による、１６ＱＡＭ変調方式でビット・ツー・シンボルマッピングを行う模式図を示す。
【図３】本発明の実施例による基地局が実行するビット・ツー・シンボルのマッピング方法のフローチャートを示す。
【図４】本発明の一例示による、１６ＱＡＭ変調方式でビット・ツー・シンボルマッピングを行う模式図を示す。
【図５】本発明の他の一例示による、１６ＱＡＭ変調方式でビット・ツー・シンボルマッピングを行う模式図を示す。
【図６】ホワイトガウスノイズ（Ｗｈｉｔｅ  Ｇａｕｓｓｉａｎ  Ｎｏｉｓｅ）チャネルにおいて、基地局で６４ＱＡＭ方式を使用して同時にスケジューリングされている第１移動局及び第２移動局を調整する場合の、第１移動局及び第２移動局が受信した信号に対するシミュレーション結果を示す。
【図７】本発明の実施例による基地局のブロック図を示す。
【図８】本発明の実施例による、ビットをシンボルにマッピングするシステム全体のハードウェアブロック図を示す。
【発明を実施するための形態】
【０００９】
以下、図面を参照しながら、本発明の実施例による基地局が実行するビット・ツー・シンボルのマッピング方法及び基地局を説明する。図面において、同じ参照記号は、常に同じ素子を示す。ここで説明する実施例は例示に過ぎず、本開示的範囲を制限するものと解釈してはいけないことは、理解されるべきである。
【００１０】
まず、図１を参照して本発明の実施例のＮＯＭＡ無線通信システムを適用できる一例示を説明する。図１に示す無線通信システムは、基地局及び該基地局と通信する複数のユーザ装置（ＵＥ）を備える。基地局は、上位レイヤー装置（図示せず）に接続でき、該上位レイヤー装置は、さらにコアーネットワーク（図示せず）に接続できる。注意すべきなのは、図１に一つの基地局と二つのＵＥだけを示したが、これは例示であり、必要に応じてより多い又は少ない基地局とＵＥが存在してもよいということである。また、ここでいうＵＥは、様々な種類のユーザ端末、例えば移動端末（又は移動局と呼ばれる）あるいは固定端末を含むことができる。しかしながら、説明の便利上、以下、ＵＥと移動局を入れ替えで使用することができる。
【００１１】
基地局は、ダウンリンクリソースブロック（例えば周波数リソースブロック）毎に、各ＵＥをスケジューリングすることにより、どちらかのＵＥのためのデータを該リソースブロックに多重するかを決定する。例えば、基地局は、各ＵＥからフィードバックされた、ＵＥと基地局間の無線チャネル状況を示すチャネル状態情報（ＣＳＩ）に応じて上記スケジューリングを行ってよい。図１に示す例示において、基地局は、ＵＥ１及びＵＥ２のためのデータを同一リソースブロックに多重することができる。また、基地局は、第１電力レベル（又は第１電力）でＵＥ１のためのデータを送信し、かつ第１電力レベルと異なる第２電力レベル（又は第２電力）でＵＥ２のためのデータを送信することができる。ここで、ＵＥ１は例えば基地局から近い或いはセルの中央に位置されるＵＥであり、ＵＥ２は例えば基地局から遠い或いはセルのエッジに位置されるＵＥである。
【００１２】
基地局は、ＵＥ１及びＵＥ２を同時にスケジューリングするとき、特定の変調方式に応じて、ＵＥ１及びＵＥ２に対するビット情報をシンボルにマッピングすることができる。図２は、１６ＱＡＭ変調方式によるシンボルの模式図を示す。図２に示すように、１６ＱＡＭの各シンボルは四つのビットを含み、各シンボルにおいて、二つの高優先度ビット（図２における白いブロックが示すもの）及び二つの低優先度ビット（図２における灰色のブロックが示すもの）を含む。
【００１３】
また、図２には、Ｆは変調した後のシンボルにおいてＵＥ２のためのビットを示し、Ｎは変調した後のシンボルにおいてＵＥ１のためのビットを示す。図２に示すように、従来のビット・ツー・シンボルマッピング方法によれば、セルの中央に位置されるＵＥ１の全てのビット情報は、いずれも低優先度ビットにマッピングされ、セルのエッジに位置されるＵＥ２の全てのビット情報は、いずれも高優先度ビットにマッピングされる。これにより、ＵＥ１の基地局から受信した信号の品質が悪くなり、無線通信システム全体のスループットが低減してしまう。
【００１４】
本発明の実施例は、上記ビット・ツー・シンボルのマッピング方法を改善した。以下、図面を参照しながら、本発明の実施例を説明する。
【００１５】
図３は、本発明の実施例による基地局が実行するビット・ツー・シンボルのマッピング方法３００のフローチャートを示す。図３に示すように、ステップＳ３０１では、同時に基地局によってスケジューリングされている複数の移動局を変調するとき、複数の移動局のうちの第１移動局に対する第１の部分ビット情報をシンボルにおける高優先度ビットにマッピングする。本発明の一例示によれば、同時に基地局によってスケジューリングされている複数の移動局は、異なる信号対雑音比（ｓｉｇｎａｌ−ｎｏｉｓｅ  ｒａｔｉｏ、以下、単にＳＮＲと称する）を有してもよいし、第１移動局は、前記複数の移動局において比較的に高いＳＮＲを有する移動局であってもよい。例えば、第１移動局は、比較的に良いチャネル状態を有しており、セルの中央に位置される移動局であってもよい。また、本発明の他の一例示によれば、変調シンボルにおけるビットの伝送信頼性に応じて優先度を決定することができる。具体的には、シンボルにおける高優先度ビットの情報伝送の信頼性は、シンボルにおける低優先度ビットの情報伝送の信頼性より高い。
【００１６】
第１の部分ビット情報は、第１移動局に対する全てのビット情報から選択された部分ビット情報であればよい。例えば、基地局は、同時にスケジューリングされている複数の移動局のビット情報を複数の変調方式で変調することができ、基地局の複数の移動局に対する変調方式に応じて、シンボルにおける高優先度ビットにマッピングされる第１の部分ビット情報の数量を決定することができる。同時にスケジューリングされている複数のＵＥの符号化変調及びチャネル状況のシミュレーションにより、各変調方式での第１の部分ビット情報の数量を予め決定することができる。例えば、各種変調方式での第１の部分ビット情報の数量を予め決定することにより、該変調方式で同時にスケジューリングされている複数のＵＥの幾何平均スループットが最大になる、又はその他メトリックが最適になる。例えば、基地局が６４ＱＡＭを使用して複数の移動局を変調するとき、第１移動局に対するビット情報から、基地局が１６ＱＡＭを使用して複数の移動局を変調するときよりも多いビット情報を第１の部分ビット情報として選択することができる。
【００１７】
また、異なる方式で第１の部分ビット情報をシンボルにおける高優先度ビットにマッピングすることができる。例えば、ステップＳ３０１では、前記第１の部分ビット情報を所定の間隔でシンボルにおける高優先度ビットにマッピングすることができる。また、例えば、ステップＳ３０１では、第１の部分ビット情報をシンボルのうち連続して分布されている高優先度ビットにマッピングすることもできる。第１の部分ビット情報を決定すると同様に、基地局の複数の移動局に対する変調方式に応じてマッピング方式を決定することができる。
【００１８】
図４は、本発明の一例示による、１６ＱＡＭ変調方式でビット・ツー・シンボルマッピングを行う模式図を示す。図２と同様に、図４において、白いブロックがシンボルにおける高優先度ビットを示し、灰色のブロックがシンボルにおける低優先度ビットを示す。図４に示すように、変調した後のシンボルにおける高優先度ビットは時間方向に順に並んでいる。
【００１９】
第１の部分ビット情報のマッピング間隔を予め一高優先度ビットに設定することができる。それに応じて、ステップＳ３０１によりマッピングを行うとき、第１の部分ビット情報を一高優先度ビットおきに高優先度ビットにマッピングする。図４において、Ｎは変調した後のシンボルにおいて第１移動局のためのビットを示し、Ｆは変調した後のシンボルにおいて前記複数の移動局のうちの第１移動局以外のその他移動局のためのビットを示す。図４に示すように、時間方向に順に並んでいる高優先度ビットにおいて、第１移動局の第１の部分ビット情報は一高優先度ビットおきに高優先度ビットにマッピングされる。
【００２０】
図５は、本発明の他の一例示による、１６ＱＡＭ変調方式でビット・ツー・シンボルマッピングを行う模式図を示す。図５に示すように、変調した後のシンボルにおける高優先度ビットは、時間方向に順に並んでいる。順に並んでいる高優先度ビットにおいて、第１の部分ビット情報がマッピングされる開始位置及び長さ（すなわち、ビット数）を予め決定することができる。ステップＳ３０１により、第１の部分ビット情報を、予め設定した開始位置から所定の長さにわたって順に並んでいる高優先度ビットにマッピングする。図５において、Ｎは変調した後のシンボルにおいて第１移動局のためのビットを示し、Ｆは変調した後のシンボルにおいて前記複数の移動局のうちの第１移動局以外のその他移動局のためのビットを示す。図５に示すように、時間方向に順に並んでいる高優先度ビットにおいて、第１移動局の第１の部分ビット情報は、１ビット目の高優先度ビットから順に並んでいる、所定の長さの高優先度ビットにマッピングされる。
【００２１】
本発明による実施例では、予め基地局と複数の移動局に第１移動局の第１の部分ビット情報の決定・マッピング方式を格納することができる。ステップＳ３０１では、予め格納した第１の部分ビット情報の決定方式によって、基地局によって同時にスケジューリングされている複数の移動局を変調するとき、第１移動局の第１の部分ビット情報を決定すると共に、予め格納した第１の部分ビット情報マッピング方式によって、決定した第１の部分ビット情報をシンボルにおける高優先度ビットにマッピングすることができる。例えば、予め変調符号化方式（ＭＣＳ）を第１の部分ビット情報の決定・マッピング方式に対応付けて格納し、それにステップＳ３０１では、格納した複数の第１の部分ビット情報の決定・マッピング方式から、基地局現在複数の移動局に対する変調方式に対応する第１の部分ビット情報の決定・マッピング方式を選択することができる。
【００２２】
また、基地局は、静的に又は準静的に第１移動局の第１の部分ビット情報の決定・マッピング方式を調整することもできる。例えば、図３の方法は、複数の移動局のチャネル品質に応じて、第１移動局の第１の部分ビット情報の決定・マッピング方式を取得し、同時に基地局によってスケジューリングされている複数の移動局を変調する前に、複数の移動局へ取得された決定・マッピング方式を通知することをさらに含んでも良い。具体的には、基地局は、同時に基地局にスケジューリングされている複数の移動局のスループットが最大になるように、複数の移動局のチャネル品質に応じて、第１移動局の第１の部分ビット情報の決定・マッピング方式を取得することができる。例えば、前記複数の移動局のスループットの幾何平均値が最大になるとき、当該複数の移動局のスループットが最大になると見なすことができる。より具体的には、複数の移動局から受信したチャネル状態指標（ＣＳＩ）に応じて第１移動局の第１の部分ビット情報の決定・マッピング方式を取得することができる。上述したように、第１移動局に対する全てのビット情報から第１の部分ビット情報を決定することは、第１の部分ビット情報の数量を決定することを含むことができる。例えば、複数の移動局から受信したＣＳＩに応じて、第１移動局に対する全てのビット情報から第１の部分ビット情報の数量を決定する。また、上述したように、異なる方式で第１の部分ビット情報をシンボルにおける高優先度ビットにマッピングすることができ、さらに複数の移動局のチャネル品質に応じて当該チャネル品質に適した敵マッピング方式を取得することができる。本発明の一例示によれば、複数の移動局のチャネル品質に応じて第１移動局の第１の部分ビット情報の決定・マッピング方式を取得してから、基地局は、無線リソース制御シグナリング又は物理ダウンリンク制御チャネルによって、複数の移動局へ取得された決定・マッピング方式を通知し、さらにステップＳ３０１では、取得した決定・マッピング方式に応じて、同時に基地局によってスケジューリングされている複数の移動局を変調するとき、複数の移動局のうちの第１移動局に対する第１の部分ビット情報をシンボルにおける高優先度ビットにマッピングすることができる。
【００２３】
図３に戻り、ステップＳ３０２では、第１移動局に対する第２の部分ビット情報をシンボルにおける低優先度ビットにマッピングする。第２の部分ビット情報は、第１移動局に対する全てのビット情報において第１の部分ビット情報以外のビット情報であってもよい。図４及び図５に示すように、第１移動局の第２の部分ビット情報はいずれもシンボルにおける低優先度ビットにマッピングされる。
【００２４】
図３に示す方法は、同時に基地局によってスケジューリングされている複数の移動局を変調するとき、複数の移動局のうちの第２移動局に対する全てのビット情報をシンボルにおける高優先度ビットにマッピングすることをさらに含んでも良い。第２移動局は、前記複数の移動局において比較的に低いＳＮＲを有する移動局であってもよい。例えば、第２移動局は、セルのエッジに位置される移動局であってもよい。セルのエッジに位置される移動局のチャネル品質は、通常、セルの中央に位置される移動局のチャネル品質より低いため、第２移動局に対する全てのビット情報をシンボルにおける高優先度ビットにマッピングすることにより、第２移動局の通信品質を確保することができる。
【００２５】
本発明の一例示によれば、図３に示す方法は、複数の移動局に割り当てた送信電力を調整して複数の移動局のスループットをさらに増加することを含んでも良い。具体的には、基地局は、第１移動局に割り当てる送信電力及び第２移動局に割り当てる送信電力の、基地局の総送信電力において占められる割合を調整することができる。
【００２６】
また、図３に示す方法は、マルチユーザ重畳伝送カテゴリー２（ＭＵＳＴ  Ｃａｔｅｇｏｒｙ  ２）を採用して複数の移動局に対してビット情報からシンボルへのマッピングを行う基地局に用いられることができる。
【００２７】
本発明の上述した実施例によるビット・ツー・シンボルのマッピング方法は、同時に基地局によってスケジューリングされている複数の移動局のうちの第１移動局に対する一部のビット情報を変調した後のシンボルにおける高優先度ビットにマッピングすることにより、第１移動局が基地局から受信した信号の品質を効率的に改善し、よって通信システム全体のスループットが確保される。
【００２８】
図６は、ホワイトガウスノイズチャネルにおいて、基地局が６４ＱＡＭ方式を使用して同時にスケジューリングされている第１移動局及び第２移動局を調整する場合、第１移動局及び第２移動局が受信した信号に対するシミュレーション結果を示す。図６に示す例示において、符号化率０.６５で第１移動局及び第２移動局に対して符号化を行い、２０個のリソースブロックに対してシミュレーションを行うと仮定する。図６に示すように、従来のマッピング方法と比べると、本願の実施例によるマッピング方法３００によれば、第１移動局が受信した信号の品質は著しく向上され、それと同時に、第２移動局が受信した信号の品質への影響が小さい。例えば、図６に示すように、信号ブロック誤り率（ＢＬＥＲ）が０.１のとき、従来のマッピング方法と比べると、第１移動局のＳＮＲは、０.４５ｄＢほど改善され、また、第２移動局のＳＮＲは、０.１ｄＢだけ劣化された。注意すべきなのは、以上説明した本発明の実施例のマッピング方法における各ステップは、必ずしも示した順番に従って実行される必要がない。いくつかのステップを入れ替えて又は並行に実行してもよい。例えば、第１移動局に対する第１の部分ビット情報をシンボルにおける高優先度ビットにマッピングすること（ステップＳ３０１）と、第１移動局に対する第２の部分ビット情報をシンボルにおける低優先度ビットにマッピングすること（ステップＳ３０２）と、複数の移動局のうちの第２移動局に対する全てのビット情報をシンボルにおける高優先度ビットにマッピングすることを同時に実行することができる。
【００２９】
以下、図７を参照して本発明の実施例による基地局を説明する。図７は、本発明の実施例による基地局７００のブロック図を示す。図７に示すように、基地局７００は、第１マッピング手段７１０及び第２マッピング手段７２０を備える。この二つの手段以外、基地局７００は、その他の部品を備えても良いが、これらの部品は本発明実施例と関係ないため、ここでその図示と説明を省略する。また、本発明の実施例による基地局７００が実行する下記操作の細目は上記図１−６を参照して説明した詳細と同じであるため、ここで重複を避けるために同じ詳細に対する重複的な説明を省略する。
【００３０】
第１マッピング手段７１０は、同時に基地局によってスケジューリングされている複数の移動局を変調するとき、複数の移動局のうちの第１移動局に対する第１の部分ビット情報をシンボルにおける高優先度ビットにマッピングすることができる。本発明の一例示によれば、同時に基地局によってスケジューリングされている複数の移動局は、異なるＳＮＲを有してもよいし、第１移動局は、前記複数の移動局において比較的に高いＳＮＲを有する移動局であってもよい。例えば、第１移動局は、比較的に良いチャネル状態を有してもよいし、セルの中央に位置される移動局であってもよい。また、本発明の他の一例示によれば、変調シンボルにおけるビットの伝送信頼性に応じて優先度を決定することができる。具体的には、シンボルにおける高優先度ビットの情報伝送の信頼性は、シンボルにおける低優先度ビットの情報伝送の信頼性より高い。
【００３１】
第１の部分ビット情報は、第１移動局に対する全てのビット情報から選択された部分ビット情報であってもよい。例えば、基地局は、複数の変調方式で同時にスケジューリングされている複数の移動局のビット情報を変調し、第１マッピング手段７１０は、基地局の複数の移動局に対する変調方式に応じて、シンボルにおける高優先度ビットにマッピングされる第１の部分ビット情報の数量を決定することができる。例えば、基地局が６４ＱＡＭを使用して複数の移動局を変調するとき、第１マッピング手段７１０は、第１移動局に対するビット情報から、基地局が１６ＱＡＭを使用して複数の移動局を変調するときよりも多いビット情報を第１の部分ビット情報として選択することができる。
【００３２】
また、異なる方式で第１の部分ビット情報をシンボルにおける高優先度ビットにマッピングすることができる。例えば、第１マッピング手段７１０は、前記第１の部分ビット情報を、所定の間隔でシンボルにおける高優先度ビットにマッピングすることができる。また、例えば、第１マッピング手段７１０は、第１の部分ビット情報をシンボルにおいて連続して分布されている高優先度ビットにマッピングすることもできる。第１の部分ビット情報の決定と同様に、第１マッピング手段７１０は、基地局の複数の移動局に対する変調方式に応じてマッピング方式を決定することができる。
【００３３】
図４は、本発明の一例示による、１６ＱＡＭ変調方式でビット・ツー・シンボルマッピングを行う模式図を示す。図２と同様に、図４には、白いブロックはシンボルにおける高優先度ビットを示し、灰色のブロックはシンボルにおける低優先度ビットを示す。図４に示すように、変調した後のシンボルにおける高優先度ビットは、時間方向に順に並んでいる。
【００３４】
予め第１の部分ビット情報のマッピング間隔を一高優先度ビットに設定してもよい。それに応じて、第１マッピング手段７１０は、マッピングを行う時、第１の部分ビット情報を一高優先度ビットおきに高優先度ビットにマッピングする。例えば、以上の図４に示す例示には、時間方向に順に並んでいる高優先度ビットにおいて、第１移動局の第１の部分ビット情報は、第１マッピング手段７１０によって一高優先度ビットおきに高優先度ビットにマッピングされる。
【００３５】
順に並んでいる高優先度ビットにおいて、第１の部分ビット情報がマッピングされる開始位置及び長さ（すなわち、ビット数）を予め決定することができる。それに応じて、第１マッピング手段７１０は、予め設定した開始位置から所定の長さにわたって順に並んでいる高優先度ビットに第１の部分ビット情報をマッピングする。例えば、図５に示す例示において、時間方向に順に並んでいる高優先度ビットにおいて、第１移動局の第１の部分ビット情報は、第１マッピング手段７１０によって１ビット目の高優先度ビットから順に並んでいる所定の長さの高優先度ビットにマッピングされる。
【００３６】
また、本発明の一例示によれば、基地局７００は、予め基地局と複数の移動局に第１移動局の第１の部分ビット情報の決定・マッピング方式を格納するための格納手段をさらに備えても良い。第１マッピング手段７１０は、予め格納した第１の部分ビット情報の決定方式に応じて、同時に基地局によってスケジューリングされている複数の移動局を変調するとき、第１移動局の第１の部分ビット情報を決定し、予め格納したマッピング方式に応じて、決定した第１の部分ビット情報をシンボルにおける高優先度ビットをマッピングすることができる。例えば、予め変調符号化方式（ＭＣＳ）を第１の部分ビット情報の決定・マッピング方式に対応付けて基地局の格納手段に格納することができる。第１マッピング手段７１０は、格納した複数の第１の部分ビット情報の決定・マッピング方式から、現在基地局の複数の移動局に対する変調方式に対応する第１の部分ビット情報の決定・マッピング方式を選択することができる。
【００３７】
また、本発明の他の一例示によれば、基地局７００は、静的に又は準静的に第１移動局の第１の部分ビット情報の決定・マッピング方式を調整することもできる。例えば、基地局７００は、複数の移動局のチャネル品質に応じて、第１移動局の第１の部分ビット情報の決定・マッピング方式を取得する方式決定手段と、同時に基地局によってスケジューリングされている複数の移動局を変調する前に、複数の移動局へ取得された決定・マッピング方式を通知する送信手段をさらに備えても良い。具体的には、方式決定手段は、同時に基地局によってスケジューリングされている複数の移動局のスループットが最大になるように、複数の移動局のチャネル品質に応じて、第１移動局の第１の部分ビット情報の決定・マッピング方式を取得することができる。例えば、前記複数の移動局のスループットの幾何平均値が最大になるとき、当該複数の移動局のスループットが最大になると見なすことができる。より具体的には、方式決定手段は、複数の移動局から受信したチャネル状態指標（ＣＳＩ）に応じて第１移動局の第１の部分ビット情報の決定・マッピング方式を取得することができる。
【００３８】
本発明の一例示によれば、複数の移動局のチャネル品質に応じて第１移動局の第１の部分ビット情報の決定・マッピング方式を取得してから、送信手段は、無線リソース制御シグナリング又は物理ダウンリンク制御チャネルによって、複数の移動局へ取得された決定・マッピング方式を通知することができ、第１マッピング手段７１０は、取得された決定・マッピング方式に応じて、同時に基地局によってスケジューリングされている複数の移動局を変調するとき、複数の移動局のうちの第１移動局に対する第１の部分ビット情報をシンボルにおける高優先度ビットにマッピングすることができる。
【００３９】
第２マッピング手段７２０は、第１移動局に対する第２の部分ビット情報をシンボルにおける低優先度ビットにマッピングすることができる。第２の部分ビット情報は、第１移動局に対する全てのビット情報において第１の部分ビット情報以外のビット情報であってもよい。図４及び図５に示すように、第１移動局の第２の部分ビット情報は、いずれもシンボルにおける低優先度ビットにマッピングされる。
【００４０】
基地局７００は、同時に基地局によってスケジューリングされている複数の移動局を変調するとき、複数の移動局のうちの第２移動局に対する全てのビット情報をシンボルにおける高優先度ビットにマッピングする第３マッピング手段をさらに備えても良い。第２移動局は、前記複数の移動局において比較的に低いＳＮＲを有する移動局であってもよい。例えば、第２移動局は、セルのエッジに位置される移動局であってもよい。セルのエッジに位置される移動局のチャネル品質は、通常、セルの中央に位置される移動局のチャネル品質より低いため、第２移動局に対する全てのビット情報をシンボルにおける高優先度ビットにマッピングすることにより、第２移動局の通信品質を確保することができる。
【００４１】
本発明の一例示によれば、基地局７００は、複数の移動局に割り当てた送信電力を調整して複数の移動局のスループットをさらに増加する電力調整手段をさらに備えても良い。具体的には、電力調整手段は、第１移動局に割り当てる送信電力と第２移動局に割り当てる送信電力の、基地局の総送信電力において占められる割合を調整することができる。
【００４２】
また、基地局７００は、マルチユーザ重畳伝送カテゴリー２（ＭＵＳＴ  Ｃａｔｅｇｏｒｙ  ２）を採用して複数の移動局に対してビット情報からシンボルへのマッピングを行う基地局に用いられても良い。
【００４３】
本発明上記実施例による基地局において、同時に基地局によってスケジューリングされている複数の移動局のうちの第１移動局に対する一部のビット情報を、変調した後のシンボルにおける高優先度ビットにマッピングすることにより、第１移動局の基地局から受信した信号の品質が効率的に改善され、よって通信システム全体のスループットが確保される。
【００４４】
当業者にとっては、本発明は、システム、装置、方法又はコンピュータプログラム製品として実現できることは明らかである。よって、本発明は、具体的には、完全なハードウェア、或いは完全なソフトウェア（ファームウェア、常駐ソフトウェア、マイクロコードなどを含む）、或いは本文では一般的に「コンポーネント」、「モジュール」、「装置」又は「システム」などと称する、ハードウェアとソフトウェアが結合された形態、等の形態で実現されることができる。また、いくつかの実施例には、本発明は、一つ又は複数の、コンピュータ可読なプログラムコードを含むコンピュータ可読媒体におけるコンピュータプログラム製品の形態として実現されてもよい。
【００４５】
一つ又は複数のコンピュータ可読媒体の任意の組み合わせを採用することができる。コンピュータ可読媒体は、コンピュータ可読信号媒体又はコンピュータ可読記憶媒体であってもよい。コンピュータ可読記憶媒体は、例えば電気、磁気、光、電磁気、赤外線、又は半導体のシステム、装置又はデバイス、或いは任意の以上のものの組み合わせであってもよいが、それらに限らない。コンピュータ可読記憶媒体のより具体的な例（非網羅的列挙）は、一つ又は複数のワイヤを有する電気コネクタ、携帯コンピュータ磁気ディスク、ハードディスク、ランダム・アクセス・メモリ（ＲＡＭ）、読み取り専用メモリ(ＲＯＭ)、消去可能プログラマブル読み取り専用メモリ(ＥＰＲＯＭ又はフラッシュメモリ)、光ファイバー、携帯コンパクトディスク読み取り専用メモリ(ＣＤ−ＲＯＭ)、光学記憶デバイス、磁気記憶デバイス、或いは上記の任意の適当な組み合わせを含む。本願では、コンピュータ可読記憶媒体は、命令実行システム、装置或者デバイスによって使用される又はそれと共に使用されるプログラムを含む又は格納する任意の有形媒体であってもよい。
【００４６】
コンピュータ可読の信号媒体は、ベースバンドにおいて或いはキャリアーの一部として伝搬されるデータ信号を含み、その中にコンピュータ可読プログラムコードが積み込まれている。この伝搬されるデータ信号は、夫々の形態を採用でき、そのうち電磁信号、光信号又は上記の任意の適当な組み合わせを含むがそれらに限らない。コンピュータ可読的信号媒体は、コンピュータ可読記憶媒体以外の任意の、命令実行システム、装置又はデバイスが使用する又はそれと共に使用するためのプログラムを送信、伝搬又は伝送することができるコンピュータ可読媒体であってもよい。
【００４７】
図面におけるフローチャートとブロック図は、本発明の複数の実施例によるシステム、方法及びコンピュータプログラム製品の実現可能な体系構造、機能と操作を示す。これについて、フローチャート又はブロック図における各ブロックは、一つ又は複数の所定の論理的な機能を実現するための実行可能命令を含む一つのモジュール、プログラムセクション又はコードの一部を示す。また、注意すべきなのは、ブロック図及び／又はフローチャートにおける各ブロック、及びブロック図及び／又はフローチャートにおけるブロックの組み合わせは、所定な機能又は操作を実行する専用のハードウェアベースのシステムによって実現してもよいし、或いは専用のハードウェアとコンピュータ命令の組み合わせによって実現してもよい。
【００４８】
図８は、本発明の実施例に従うビット・ツー・シンボルマッピングシステム８００の全体ハードウェアブロック図を示す。ビット・ツー・シンボルマッピングシステム８００は、基地局として実現することができる。それに、図８に示すように、ビット・ツー・シンボルマッピングシステム８００は、送受信部８１０、記憶部８２０と処理部８３０を備えることができる。
【００４９】
送受信部８１０は、信号を、移動局から受信、又は移動局へ送信することができる。記憶部８２０は、様々な形式のコンピュータ可読記憶媒体、例えば揮発性メモリ及び／又は不揮発性メモリを含むことができる。前記揮発性メモリは、例えばランダム・アクセス・メモリ（ＲＡＭ）及び／又はキャッシュメモリ（ｃａｃｈｅ）などを含むことができる。前記不揮発性メモリは、例えば読み取り専用メモリ（ＲＯＭ）、ハードディスク、フラッシュメモリなどを備えることができる。前記コンピュータ可読記憶媒体には、一つ又は複数のコンピュータプログラム命令を格納するができる。例えば、記憶部８２０は、上記図１-６と結合して説明したビット・ツー・シンボルのマッピング方法を実現するコンピュータプログラム命令を格納することができる。処理部８３０は、上記の本開示の実施例の機能及び／又はその他望ましい機能を実現するように、前記プログラム命令を実行することができる。
【００５０】
以上で本発明の各実施例を説明したが、上記説明は例示的なものであり、網羅的列挙ではなく、それに開示した各実施例に限らない。当業者にとっては、説明した各実施例の範囲と精神を逸脱しない限り、数多くの変更及び修正は明らかなものである。本願での用語の選択は、各実施例の原理、実際の応用又は市場における技術の改良を一番良く解釈するためのものであり、或いは当業者に本願が公開した各実施例を理解させるためのものである。
【図１】
2019508935.tif 000003
【図２】
2019508935.tif 000004
【図３】
2019508935.tif 000005
【図４】
2019508935.tif 000006
【図５】
2019508935.tif 000007
【図６】
2019508935.tif 000008
【図７】
2019508935.tif 000009
【図８】
2019508935.tif 000010
【国際調査報告】
2019508935.tif 000011
2019508935.tif 000012
2019508935.tif 000013
2019508935.tif 000014